(57)【要約】【課題】例えば、アール形状を有する金属屋根を緑化しうる構造で、十分に強度を保持できるとともに、構造が簡単で低コストであり、施工も簡単に行える緑化屋根構造を提供する。【解決手段】水流れ方向Ｗに沿って立はぜ２４を併設させるように複数の板材１２ａを組付け接合して形成した屋根部１２と、立はぜ２４間に配置された緑化用植栽１４と、立はぜ２４の流れ方向の所要位置に取り付けられる支持基台１６であって、上端部が立はぜ２４の高さより高い位置に配置される支持基台１６と、支持基台１６に固定される連結部材１８であって水流れ方向Ｗに沿う方向に締結用孔３６を穿孔した連結部材１８と、水流れ方向Ｗと交差するように支持基台１６上に配置され、かつ締結部材２０を介して連結部材１８と締結される化粧板２２と、を含む緑化屋根構造１０から構成される。【選択図】図１
2020172747.tif 000002
【特許請求の範囲】
【請求項１】
水流れ方向に沿って立はぜを併設させるように複数の板材を組付け接合して形成した屋根部と、
立はぜ間に配置された緑化用植栽と、
立はぜの流れ方向の所要位置に取り付けられる支持基台であって、上端部が立はぜの高さより高い位置に配置される支持基台と、
支持基台に固定される連結部材であって水流れ方向に沿う方向に締結用孔を穿孔した連結部材と、
水流れ方向と交差するように支持基台上に配置され、かつ締結部材を介して連結部材と締結される化粧板と、を含むことを特徴とする緑化屋根構造。
【請求項２】
連結部材は、締結用孔を穿孔した小形の平板材からなることを特徴とする請求項１記載の緑化屋根構造。
【請求項３】
連結部材は、支持基台に一体固定されていることを特徴とする請求項１又は２記載の緑化屋根構造。
【請求項４】
連結部材は、３ｃｍ正方〜２０ｃｍ正方のサイズであることを特徴とする請求項１ないし３のいずれかに記載の緑化屋根構造。
【請求項５】
連結部材は平板材の板面が流れ方向に対向するように設定されていることを特徴とする請求項２ないし４のいずれかに記載の緑化屋根構造。
【請求項６】
支持基台は、立はぜを間に挟んで拝み合わせ状に配置連結される一対のスタンド金具からなることを特徴とする請求項１ないし５のいずれかに記載の緑化屋根構造。
【発明の詳細な説明】
【技術分野】
【０００１】
本発明は、建物の金属屋根等の屋根上を緑化するのに好適な緑化屋根構造に関する。
【背景技術】
【０００２】
金属屋根は、瓦やスレートと比較して軽量であるとともに、加工性が高いことから屋根形状のデザインの自由度も高く、例えば、平面視で円形状や楕円形状、扇状等のアール曲線を含む屋根形状等、様々な屋根形状にも容易に対応して施工できるので、一般住宅、工場や公共施設等でも広く利用されている。また近年では、温暖化対策、断熱性が低い金属屋根の断熱性向上のためや、建物の景観向上等のために、屋上緑化が勧められており、企業や個人を問わず、屋根や屋上に植物を植えて緑化する事例も増えつつある。
【０００３】
金属屋根を緑化するための方法としては、例えば、特許文献１において、本出願人は、金属屋根にビス孔等を開けることなく、緑化パネル等の屋根上設備を施工することができる屋根上設備の支持フレームの取付け金具を考案している。特許文献１の屋根上設備の支持フレームの取付金具は、金属製屋根の屋根板から直角方向に立ち上げて上端側を馳ぜ締め結着して設けられた細幅帯長板状の立て馳ぜ部の両側面に、立て馳ぜ部を挟むようにあてがわれて対向配置される一対の縦支持板と、縦支持板の上端に連接され屋根上設備の支持フレームを受ける受部と、一対の縦支持板の縦方向中間部を両縦支持板の近接方向に締め付ける締め付け機構とを備え、縦支持板は、縦方向中間部に馳ぜ締め結着部を内包するように外側に膨拡部と、膨拡部に一体接続されて立て馳ぜ部の下端側を挟みつけるように膨拡部から立て馳ぜ部側に向けて曲げられた縦支持板の下部であって、立て馳ぜ部の下部に当接して同下部をそれぞれ締め付け圧接する圧接端を有する下部圧接部と、を備えたものであった。
【先行技術文献】
【特許文献】
【０００４】
【特許文献１】実用新案登録第３１５９６０１号公報
【発明の概要】
【発明が解決しようとする課題】
【０００５】
特許文献１の支持フレームの取付金具では、屋根上設備の支持フレームを受ける受部は、縦支持板の上端からＬ字状に曲折された受板部からなり、受板部には複数のボルト孔を上下方向に穿孔されており、それらの受板部の上に該支持フレームを載置して、上下方向にボルトを通した状態でナットで締めて、受板部と屋根上設備の支持フレームとを連結する構造であった。しかしながら、屋根上設備は、金属屋根の屋根勾配の方向とは交差する上下方向に向けてボルト連結する構造であるので、水流れ方向への荷重にある程度抗する強度を確保するために複数のボルトが必要となり、部材点数が多く、コストが高くなるとともに、施工の際にも多数のボルト連結工程が必要となり、煩雑となるものであった。さらに、一対の縦支持板の上端をそれぞれＬ字状に曲折して設けられているので、支持金具に使用される金属材料が多く必要となる上、構造が複雑化し、製造にも折り曲げ工程や多数のボルト孔開け工程等を含む多数の工程がかかり、全体的なコストが高くつく問題があった。
【０００６】
本発明は、上記従来の課題に鑑みてなされたものであり、その一つの目的は、例えば、アール形状を有する金属屋根を緑化しうる構造で、十分に強度を保持できるとともに、構造が簡単で低コストであり、施工も簡単に行える緑化屋根構造を提供することにある。
【課題を解決するための手段】
【０００７】
上記課題を解決するために本発明は、水流れ方向Ｗに沿って立はぜ２４を併設させるように複数の板材１２ａを組付け接合して形成した屋根部１２と、立はぜ２４間に配置された緑化用植栽１４と、立はぜ２４の流れ方向の所要位置に取り付けられる支持基台１６であって、上端部が立はぜ２４の高さより高い位置に配置される支持基台１６と、支持基台１６に固定される連結部材１８であって水流れ方向Ｗに沿う方向に締結用孔３６を穿孔した連結部材１８と、水流れ方向Ｗと交差するように支持基台１６上に配置され、かつ締結部材２０を介して連結部材１８と締結される化粧板２２と、を含む緑化屋根構造１０から構成される。
【０００８】
また、連結部材１８は、締結用孔３６を穿孔した小形の平板材からなることとしてもよい。
【０００９】
また、連結部材１８は、支持基台１６に一体固定されていることとしてもよい。
【００１０】
また、連結部材１８は、３ｃｍ正方〜２０ｃｍ正方のサイズであることとしてもよい。
【００１１】
また、連結部材１８は平板材の板面が流れ方向Ｗに対向するように設定されていることとしてもよい。
【００１２】
また、支持基台１６は、立はぜ２４を間に挟んで拝み合わせ状に配置連結される一対のスタンド金具２６ａ、２６ｂからなることとしてもよい。
【発明の効果】
【００１３】
本発明の緑化屋根構造によれば、水流れ方向に沿って立はぜを併設させるように複数の板材を組付け接合して形成した屋根部と、立はぜ間に配置された緑化用植栽と、立はぜの流れ方向の所要位置に取り付けられる支持基台であって、上端部が立はぜの高さより高い位置に配置される支持基台と、支持基台に固定される連結部材であって水流れ方向に沿う方向に締結用孔を穿孔した連結部材と、水流れ方向と交差するように支持基台上に配置され、かつ締結部材を介して連結部材と締結される化粧板と、を含むことから、連結部材と化粧板とを締結する締結部材にかかる負荷が少ないので締結部材の個数が少なくても強度を保持できる結果、部材点数が少なく低コストで施工することができると同時に、緑化用植栽を安全に確保するのに十分な強度を保持した緑化屋根を提供できる。
【００１４】
また、連結部材は、締結用孔を穿孔した小形の平板材からなる構成とすることにより、簡単な構造で具体的に連結部材を実現できるとともに、化粧板を平板材に当接させてボルト等で締結することで、水流れ方向への荷重を平板材で受けて分散することもでき、強度を保持できるとともに、低コストで製造することができる。
【００１５】
また、連結部材は、支持基台に一体固定されている構成とすることにより、屋根上での施工時の取り扱いや管理が簡便であるとともに、連結部材と支持基台、及び連結部材と化粧板とを一体化して、全体的に強度が高い緑化屋根構造を具現できる。
【００１６】
また、連結部材は、３ｃｍ正方〜２０ｃｍ正方のサイズである構成とすることにより、化粧板の大きさに応じて適切なサイズで設計して該化粧板と連結することができ、水流れ方向にかかる緑化用植栽の荷重等を受けながら確実に支持することができる。
【００１７】
また、連結部材は平板材の板面が流れ方向に対向するように設定されている構成とすることにより、平板材の板面に化粧板を当接して連結させることで化粧板を安定的に支持した状態で締結部材を介して連結することができ、締結作業をスムーズに行えるとともに、水流れ方向への緑化用植栽の荷重等を平板材に受けさせることもでき、高い強度を保持することができる。
【００１８】
また、支持基台は、立はぜを間に挟んで拝み合わせ状に配置連結される一対のスタンド金具からなる構成とすることにより、支持基台を簡単な構造で低コストで製造できる。さらに、屋根部や立はぜにボルト孔等を空けたり特殊な加工を施したりすることなしに簡単に取付けることができるとともに、例えば緑化が不要となったり改修したりする際には簡単に取り外すことができる。
【図面の簡単な説明】
【００１９】
【図１】本発明の一実施形態に係る緑化屋根構造の一部分を示す斜視図であり、内部構造を示す説明図である。
【図２】図１の緑化屋根構造の斜視説明図である。
【図３】図１の緑化屋根構造の断面説明図である。
【図４】図１の緑化屋根構造を正面説明図である。
【図５】図１の緑化屋根構造の支持基台周辺の拡大説明図である。
【図６】（ａ）図１の緑化屋根構造が適用された建物の一例の概略正面説明図、（ｂ）その建物の屋根部の概略平面説明図である。
【図７】（ａ）図１の緑化屋根構造が適用された建物の他の例の一部を示す概略斜視説明図、（ｂ）そのアール形状の屋根部分の概略平面説明図である。
【発明を実施するための形態】
【００２０】
以下、添付図面を参照しつつ本発明の緑化屋根構造の実施の形態について説明する。本発明の緑化屋根構造は、例えば、金属製屋根材を屋根勾配すなわち水流れ方向に交差する左右方向にはぜ部で接合して、水流れ方向に沿って立はぜ部が長く形成される縦葺きの屋根を緑化するのに好適な緑化屋根構造である。図１ないし図７は、本発明に係る緑化屋根構造の一実施形態を示している。図１、図２、図３に示すように、本実施形態では、緑化屋根構造１０は、水流れ方向に沿って立はぜ２４を併設させた屋根部１２と、立はぜ２４間に配置された緑化用植栽１４と、立はぜに取付けられる支持基台１６と、支持基台１６に固定された連結部材１８と、締結部材２０を介して連結部材１８と締結される化粧板２２と、を含む。
【００２１】
屋根部１２は、例えば、図６、図７に示すような建物Ｚ１、Ｚ２の上部を覆う屋根部である。なお、図６、図７では、屋根部１２の説明のために支持基台や連結部材等の他の部材を省略して示している。図１、図２に示すように、屋根部１２は、屋根勾配すなわち水流れ方向(矢視Ｗ）に沿って立はぜ２４を併設させるように複数の板材１２ａを組付け接合して形成されている。本実施形態では、屋根部１２は、例えば、従来周知の縦はぜ葺きの金属屋根からなる。屋根部１２は、例えば、亜鉛メッキ鋼板、溶融亜鉛メッキ屋根用鋼板、アルミニウム−亜鉛合金メッキ鋼板等の耐水性、耐候性及び強度が高い金属製の板材からなり、複数の金属製板板材を屋根勾配の流れに沿って揃えつつ、左右両端のはぜ部分を締め付けて該板材板面よりも約２ｃｍ程度立ち上がった細幅帯長板状の立はぜ２４で接合されて、所定の屋根形状で形成される。例えば、屋根部１２の屋根を構成する各金属製板材は、水流れ方向Ｗの水上側と水下側とで幅が同じになる略長方形状に設けられると直線状の屋根形状輪郭を形成しうる。一方、図２に示すように、金属製板材は、水流れ方向Ｗの水上側の板幅が狭く、水下側の板幅が広く設定された略台形状のものを揃えて接合することにより、図６、図７に示す建物Ｚ１、Ｚ２のように水下側すなわち平面視での屋根形状輪郭をアール形状Ｒに形成することができる。例えば、水上側より水下側が幅広となる略台形状の金属製板材を円形状に並設して屋根部１２を形成すると、図６（ａ）（ｂ）に示すように、全周にアール形状Ｒが形成される円形状の屋根部１２を構築することができる。このとき、円形の中心部が水流れ方向Ｗの水上側、円周側が水下側となり、金属製板材どうしの接合部分となる立はぜ２４は、円の中心から径方向に放射状に形成され、隣接する立はぜ２４どうしは水下側に向けて次第に離隔幅が広くなるようになっている。また、図７（ａ）（ｂ）に示すように、例えば、略扇形状のように一部分にアール形状Ｒがあらわれる屋根形状を構築することもできる。なお、図２では、建物Ｚ１の円形状の屋根のように一部にアール形状Ｒを含む屋根部１２の一部を模式的にあらわしているが、説明のために隣接する立はぜ２４どうしの角度や屋根板材等を変形して描いている。
【００２２】
図１、図２、図３に示すように、支持基台１６は、屋根部１２の立はぜ２４の流れ方向の所要位置に取り付けられる支持基台であって、上端部が立はぜ２４の高さより高い位置に配置される。図４、図５にも示すように、本実施形態では、支持基台１６は、例えば、立はぜ２４を間に挟んで拝み合わせ状に配置連結される一対のスタンド金具２６ａ、２６ｂからなる。一対のスタンド金具を構成する第１スタンド金具２６ａと第２スタンド金具２６ｂは、略同一形状で形成されており、ステンレス等の硬質の金属板をプレス加工等によって所定形状に加工して設けられている。各スタンド金具２６ａ、２６ｂは、少なくとも立はぜ２４の板面からの高さよりも大きなサイズで形成されており、例えば、側面視では縦が約５ｃｍ、横が約５ｃｍ程度のサイズの略矩形状に形成されている。スタンド金具２６ａ、２６ｂは、プレス加工に限らず、例えば金属板を折り曲げ加工、鋳造等のその他任意の製造方法で製造してもよい。
【００２３】
スタンド金具２６ａ、２６ｂは、正面視では、互いに拝み合わせた状態で、上端部は上下方向に直線状に設けられるとともに、上下中間部２８は互いに外側に膨らむように拡大され、それらの下端部２９は互いに近接する方向に傾斜され、下端部からさらに横方向にＬ字状に折り曲げられたＬ字片３０を形成している。さらに、スタンド金具２６ａ、２６ｂの中間部２８には、さらに外側に膨らむように金属板を曲げて突設させた補強凸部３２が形成されている。補強凸部３２は、スタンド金具２６ａ、２６ｂの側面視で互いに離隔した部に二カ所設けられている。一対のスタンド金具２６ａ、２６ｂどうしは、例えば、上下中間部２８の補強凸部３２が設けられた部位であって、Ｌ字片部３０を屋根部の板面に当接させた際に立はぜ２４の上端よりも高い位置に穿孔されたボルト孔にボルト・ナット等のスタンド締結部材３４によって近接、離隔可能に締結される。一対のスタンド金具２６ａ、２６ｂは、Ｌ字片３０を板面に当接させた状態で立はぜ２４を間に挟んで配置され、上下中間部２８の拡大部により、屋根部１２の立はぜ２４を内包できるようになっており、スタンド締結部材３４によって拝み合わせ状に締結することによって下端部２９で立はぜ２４を挟みつけて固定的に取り付けられる。一対のスタンド金具２６ａ、２６ｂには、スタンド締結部材３４との係合部に補強凸部３２が設けられているので、スタンド締結部材３４を強く締め付けてもスタンド金具２６ａ、２６ｂが変形しにくく、確実に下端部２９で立はぜ２４を締め付けて固定することができる。その結果、強度が高い緑化屋根構造を実現しうる。支持基台１６である一対のスタンド金具２６ａ、２６ｂの取付け位置は、それぞれ立はぜ２４において、少なくとも後述の化粧板２２が取り付けられる位置となる水流れ方向の水上側端部寄り位置と、水下側端部寄り位置に取付けられる。さらに、支持基台１６である一対のスタンド金具２６ａ、２６ｂは、必要に応じてそれらの立はぜ２４の長手中間位置に１個又は複数個が取り付けられ、後述の横仕切り材３８の取り付け位置と対応して取り付けられる。
【００２４】
連結部材１８は、支持基台１６に固定され、後述の化粧板２２又は横仕切り材３８を支持基台１６に連結するための連結手段である。連結部材１８は、水流れ方向Ｗに沿う方向に締結用孔３６が穿孔されている。図３、図４、図５に示すように、本実施形態では、連結部材１８は、例えば、締結用孔３６を穿孔した小形の平板材からなり、該平板材の板面１８Ｓが流れ方向Ｗに対向するように設定されて支持基台１６に一体固定されている。具体的には、連結部材１８は、例えば、ステンレス等の硬質金属製で、縦が約３．５ｃｍ、横が約２．５ｃｍ程度の略縦長長方形状の平板材からなり、一つの隅部部分を支持基台１６の第１スタンド金具２６ａの端部に溶接等により一体的に固定されている。すなわち、一対のスタンド金具の一方側にのみ、連結部材１８が一体固定されている。連結部材１８の第１スタンド金具２６ａとの固定部分とは対角となる隅部近傍に連結用孔３６が板面を貫通して穿孔されている。なお、連結部材１８は、化粧板２２や横仕切り材３８のサイズ、緑化用植栽のサイズ等に応じて適宜設定され、例えば、３ｃｍ正方（３ｃｍ×３ｃｍ）以上で、２０ｃｍ正方（２０ｃｍ×２０ｃｍ）以内のサイズで任意の形状に設定されるとよい。連結部材１８のスタンド金具２６ａへの固定位置は、本実施形態のように端部位置に限らず、スタンド金具２６ａの側面視での左右中間位置等に固定してもよい。また、連結部材１８は、例えば、半円形状等のその他任意形状の平板でもよく、板面がＬ字に曲げられたＬ字板でもよく、立体的なブロック状に形成されたもの等でもよい。
【００２５】
化粧板２２は、屋根部１２の水流れ方向Ｗと交差するように支持基台１６上に配置され、かつ締結部材２０を介して連結部材１８と締結される。図１、図２に示すように、本実施形態では、化粧板２２は、屋根部１２上の緑化用植栽１４を含む緑化用部材が配置される範囲の水上側又は水下側において水流れ方向Ｗと交差する方向に延びて緑化範囲を区画する仕切りを形成するとともに、外面側からの見栄えをよくする化粧板である。化粧板２２は、例えば、溶融亜鉛メッキ屋根用鋼板、アルミニウム−亜鉛合金メッキ鋼板、やアルミニウム等の防止性、耐候性を有する金属材料で形成されており、一方に長くかつ長手方向に直交する断面の形状が略コ字状となるように曲折されたコ字形金属板からなる。化粧板２２は、その長手方向を屋根部１２の立はぜ２４の長手方向に交差方向に向けた状態で、該立はぜ２４に取付けられた一対のスタンド金具２６ａ、２６ｂの上端に載置上に配置され、板面を連結部材１８の平板板面に当接させた状態で、該連結部材１８の連結用孔３６を介して水流れ方向に沿って方向に縫うようにボルト・ナット等の締結部材２０で締結される。化粧板２２の締結用孔３７は、例えば、事前に穿孔しておいてもよいし、現場で連結部材１８に対する該化粧板２２の位置調整を行ってドリル等で穿孔することとしてもよい。化粧板２２は、例えば、スタンド金具に載置させずに、連結部材１８の上記とは逆の板面側に当接して連結することとしてもよい。例えば、化粧板２２は、化粧板２２の下端が立はぜ２４の上端より上方に配置された状態で、連結部材１８のいずれかの板面１８Ｓに当接して連結されるとよい。なお、図１に示すように、緑化用植栽１４を配置する緑化範囲の水流れ方向Ｗに交差する左右方向の端部は、必要に応じて水流れ方向Ｗに沿って長く設けられる他の化粧板２３を設けることとしてもよい。
【００２６】
さらに、本実施形態では、図１、図２に示すように、水流れ方向Ｗの水上側の化粧板２２と水下側の化粧板２２との間には、複数個の横仕切り材３８が配置される。横仕切り材２８は、水上側と水下側の化粧板２２との間に配置される緑化用植栽１４を水流れ方向Ｗの中間位置に配置されて、該緑化用植栽１４を受け止める仕切り部材である。横仕切り材３８は、屋根部１２の面積が広い場合や、屋根勾配が急な場合には、設置個数を増やすとよい。横仕切り材３８は、例えば、例えば、溶融亜鉛メッキ屋根用鋼板、アルミニウム−亜鉛合金めっき鋼板やアルミニウム等の防止性、耐候性を有する金属材料で形成されており、一方に長い金属板からなる。横仕切り材３８は、例えば、長手方向に直交に切断した断面形状が、縦板部分の上端部と下端部がそれぞれ逆方向に直角Ｌ字状に向けて曲折された変形Ｚ字状の金属細長板材からなる。横仕切り材３８は、化粧板２２と略同様にその長手方向を屋根部１２の立はぜ２４の長手方向に交差方向に向けた状態で、該立はぜ２４の中間位置に取付けられた一対のスタンド金具２６ａ、２６ｂの上端に載置上に配置され、縦板板面を連結部材１８の平板板面に当接させた状態で、該連結部材１８の連結用孔３６を介してボルト・ナット等の締結部材２０で締結される。
【００２７】
緑化用植栽１４は、屋根部１２の上方に配置されて屋上緑化するための緑化手段であり、屋根部１２の立はぜ２４間に配置される。本実施形態では、図１、図２、図３に示すように、緑化用植栽１４は、例えば、上記の立はぜ２４に取付けられた一対のスタンド金具２６ａ、２６ｂ、連結部材１８を介して取り付けられた化粧板２２で区画される緑化範囲内に配置され、立はぜ２４を含む屋根部１２の上を覆うようになってる。なお、図２では、説明のために緑化用植栽１４は、二点鎖線で概略して示している。緑化用植栽１４は、例えば、従来周知の緑化用部材で構成されており、屋根部１２の板材の上に、下から順に、排水マット４０と、保護マット４２と、植物基盤４４と、が重ねて設置されている。緑化用植栽１４は、例えば、屋根部１２の板面上で立はぜ２４の間に配置され、該立はぜ２４の高さよりも高い位置まで積層されて設けられている。植物基盤４４は、例えば、軽量で保水力が良い周知の屋上緑化用土壌や培地マット等からなり、植物の種又は苗等が植栽されて緑化される。植物基盤４４は、例えば、所定のサイズ（３０ｃｍ×３０ｃｍ）の緑化用植生マットを複数並べて形成してもよいし、ロール状に長い緑化用植生マットを敷設してもよく、その他任意の植物基盤で構成でもよい。植物基盤４４の上面側が化粧板２２の上端のＬ字曲折部分と略同じ高さかやや低い状態で設置される。なお、図１上、Ｘは植物基盤４４に植栽された緑化植物である。保護マット４２は透水性のマットで植物基盤４４を下に敷設されている。排水マット４０は、透水性の高いマットであり、化粧板２２と屋根部１２の板面との隙間を埋めるような厚さに設定されている。
【００２８】
例えば、図７に示すような円形状の屋根を有する建物Ｚ１に緑化屋根構造１０を施工する際には、図１、図２に示すように、円形状の屋根部１２の立はぜ２４に支持基台１６を取付ける。例えば、円形状の屋根部１２の場合には、円の中心が水流れ方向Ｗの水上側となり、円周側が水下となるように屋根勾配がつけて複数の板材が接合されて設けられており、円の中心から径方向に沿って放射状に立はぜ２４が併設される。立はぜ２４のそれぞれの水上側と水下側に支持基台１６が取り付けられる。また、立はぜ２４の長手中間位置にも複数個の支持基台１６が取り付けられる。支持基台１６は、一対のスタンド金具２６ａ、２６ｂからなり、立はぜ２４を間に挟んで拝み合わせ状に配置して締結部材２４で連結されるので、屋根部１２に孔をあけることなく、簡単に取付け作業を行える。図２に示すように、立はぜ２４の水上側と水下側に取付けられた支持基台１６には、化粧板２２が取り付けられる。化粧板２２は、板面１８Ｓが流れ方向Ｗに対向するように設定された状態で支持基台１６と一体固定された連結部材１８に当接させた状態で、水流れ方向Ｗに沿う方向に縫うように締結部材２０を介して締結される。立はぜ２４の長手中間位置に取付けられた支持基台１６の連結部材１８に締結部材２０を介して横仕切り材３８が締結される。立はぜ２４の間に緑化用植栽１４が配置されると、緑化用植栽１４は、水流れ方向の中間位置で横仕切り材３８によって受けられるとともに、水下側端部位置は化粧板２２によって受けられ、該緑化用植栽の荷重が分散して受けられる。このようにして、本実施形態の緑化屋根構造１０では、円形状の屋根部を簡単に緑化することができる。
【００２９】
以上説明した本発明の緑化屋根構造は、上記した実施形態のみの構成に限定されるものではなく、特許請求の範囲に記載した本発明の本質を逸脱しない範囲において、任意の改変を行ってもよい。
【産業上の利用可能性】
【００３０】
本発明の緑化屋根構造は、例えば、平面視で円形状や楕円形状、扇形状、その他アール部分を含む形状の屋根を緑化する際に好適に利用できる。
【符号の説明】
【００３１】
緑化屋根構造
１２    屋根部
１４    緑化用植栽
１６    支持基台
１８    連結部材
２０    締結部材
２２    化粧板
２４    立はぜ
２６ａ、２６ｂ    スタンド金具
３６    締結用孔
【図１】
2020172747.tif 000003
【図２】
2020172747.tif 000004
【図３】
2020172747.tif 000005
【図４】
2020172747.tif 000006
【図５】
2020172747.tif 000007
【図６】
2020172747.tif 000008
【図７】
2020172747.tif 000009
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
水流れ方向に沿って立はぜを併設させるように複数の板材を組付け接合して形成した屋根部と、
立はぜ間に配置された緑化用植栽と、
立はぜの流れ方向の所要位置に取り付けられる支持基台であって、上端部が立はぜの高さより高い位置に配置される支持基台と、
支持基台に固定される連結部材であって水流れ方向に沿う方向に締結用孔を穿孔した連結部材と、
水流れ方向と交差するように配置され、かつ締結部材を介して連結部材と締結される化粧板と、を含み、
支持基台は、立はぜを間に挟んで拝み合わせ状に配置連結される一対のスタンド金具からなり、
連結部材は、締結用孔を穿孔し板面が流れ方向に対向するように設定された略四角形状の平板材からなり、該平板材の一つの隅部部分が支持基台の一方側のスタンド金具の端部に一体的に固定されたことを特徴とする緑化屋根構造。
【請求項２】
連結部材は、３ｃｍ正方〜２０ｃｍ正方のサイズであることを特徴とする請求項１記載の緑化屋根構造。
【手続補正２】
【補正対象書類名】明細書
【補正対象項目名】全文
【補正方法】変更
【補正の内容】
【発明の詳細な説明】
【技術分野】
【０００１】
本発明は、建物の金属屋根等の屋根上を緑化するのに好適な緑化屋根構造に関する。
【背景技術】
【０００２】
金属屋根は、瓦やスレートと比較して軽量であるとともに、加工性が高いことから屋根形状のデザインの自由度も高く、例えば、平面視で円形状や楕円形状、扇状等のアール曲線を含む屋根形状等、様々な屋根形状にも容易に対応して施工できるので、一般住宅、工場や公共施設等でも広く利用されている。また近年では、温暖化対策、断熱性が低い金属屋根の断熱性向上のためや、建物の景観向上等のために、屋上緑化が勧められており、企業や個人を問わず、屋根や屋上に植物を植えて緑化する事例も増えつつある。
【０００３】
金属屋根を緑化するための方法としては、例えば、特許文献１において、本出願人は、金属屋根にビス孔等を開けることなく、緑化パネル等の屋根上設備を施工することができる屋根上設備の支持フレームの取付け金具を考案している。特許文献１の屋根上設備の支持フレームの取付金具は、金属製屋根の屋根板から直角方向に立ち上げて上端側を馳ぜ締め結着して設けられた細幅帯長板状の立て馳ぜ部の両側面に、立て馳ぜ部を挟むようにあてがわれて対向配置される一対の縦支持板と、縦支持板の上端に連接され屋根上設備の支持フレームを受ける受部と、一対の縦支持板の縦方向中間部を両縦支持板の近接方向に締め付ける締め付け機構とを備え、縦支持板は、縦方向中間部に馳ぜ締め結着部を内包するように外側に膨拡部と、膨拡部に一体接続されて立て馳ぜ部の下端側を挟みつけるように膨拡部から立て馳ぜ部側に向けて曲げられた縦支持板の下部であって、立て馳ぜ部の下部に当接して同下部をそれぞれ締め付け圧接する圧接端を有する下部圧接部と、を備えたものであった。
【先行技術文献】
【特許文献】
【０００４】
【特許文献１】実用新案登録第３１５９６０１号公報
【発明の概要】
【発明が解決しようとする課題】
【０００５】
特許文献１の支持フレームの取付金具では、屋根上設備の支持フレームを受ける受部は、縦支持板の上端からＬ字状に曲折された受板部からなり、受板部には複数のボルト孔を上下方向に穿孔されており、それらの受板部の上に該支持フレームを載置して、上下方向にボルトを通した状態でナットで締めて、受板部と屋根上設備の支持フレームとを連結する構造であった。しかしながら、屋根上設備は、金属屋根の屋根勾配の方向とは交差する上下方向に向けてボルト連結する構造であるので、水流れ方向への荷重にある程度抗する強度を確保するために複数のボルトが必要となり、部材点数が多く、コストが高くなるとともに、施工の際にも多数のボルト連結工程が必要となり、煩雑となるものであった。さらに、一対の縦支持板の上端をそれぞれＬ字状に曲折して設けられているので、支持金具に使用される金属材料が多く必要となる上、構造が複雑化し、製造にも折り曲げ工程や多数のボルト孔開け工程等を含む多数の工程がかかり、全体的なコストが高くつく問題があった。
【０００６】
本発明は、上記従来の課題に鑑みてなされたものであり、その一つの目的は、例えば、アール形状を有する金属屋根を緑化しうる構造で、十分に強度を保持できるとともに、構造が簡単で低コストであり、施工も簡単に行える緑化屋根構造を提供することにある。
【課題を解決するための手段】
【０００７】
上記課題を解決するために本発明は、水流れ方向Ｗに沿って立はぜ２４を併設させるように複数の板材１２ａを組付け接合して形成した屋根部１２と、立はぜ２４間に配置された緑化用植栽１４と、立はぜ２４の流れ方向の所要位置に取り付けられる支持基台１６であって、上端部が立はぜ２４の高さより高い位置に配置される支持基台１６と、支持基台１６に固定される連結部材１８であって水流れ方向Ｗに沿う方向に締結用孔３６を穿孔した連結部材１８と、水流れ方向Ｗと交差するように配置され、かつ締結部材２０を介して連結部材１８と締結される化粧板２２と、を含み、支持基台１６は、立はぜ２４を間に挟んで拝み合わせ状に配置連結される一対のスタンド金具２６ａ、２６ｂからなり、
連結部材１８は、締結用孔３６を穿孔し板面が流れ方向に対向するように設定された略四角形状の平板材からなり、該平板材の一つの隅部部分が支持基台１６の一方側のスタンド金具２６ａの端部に一体的に固定された緑化屋根構造１０から構成される。
【発明の効果】
【０００８】
本発明の緑化屋根構造によれば、水流れ方向に沿って立はぜを併設させるように複数の板材を組付け接合して形成した屋根部と、立はぜ間に配置された緑化用植栽と、立はぜの流れ方向の所要位置に取り付けられる支持基台であって、上端部が立はぜの高さより高い位置に配置される支持基台と、支持基台に固定される連結部材であって水流れ方向に沿う方向に締結用孔を穿孔した連結部材と、水流れ方向と交差するように支持基台上に配置され、かつ締結部材を介して連結部材と締結される化粧板と、を含むことから、連結部材と化粧板とを締結する締結部材にかかる負荷が少ないので締結部材の個数が少なくても強度を保持できる結果、部材点数が少なく低コストで施工することができると同時に、緑化用植栽を安全に確保するのに十分な強度を保持した緑化屋根を提供できる。
【０００９】
また、連結部材は、締結用孔を穿孔した小形の平板材からなる構成とすることにより、簡単な構造で具体的に連結部材を実現できるとともに、化粧板を平板材に当接させてボルト等で締結することで、水流れ方向への荷重を平板材で受けて分散することもでき、強度を保持できるとともに、低コストで製造することができる。
【００１０】
また、連結部材は、支持基台に一体固定されている構成とすることにより、屋根上での施工時の取り扱いや管理が簡便であるとともに、連結部材と支持基台、及び連結部材と化粧板とを一体化して、全体的に強度が高い緑化屋根構造を具現できる。
【００１１】
また、連結部材は、３ｃｍ正方〜２０ｃｍ正方のサイズである構成とすることにより、化粧板の大きさに応じて適切なサイズで設計して該化粧板と連結することができ、水流れ方向にかかる緑化用植栽の荷重等を受けながら確実に支持することができる。
【００１２】
また、連結部材は平板材の板面が流れ方向に対向するように設定されている構成とすることにより、平板材の板面に化粧板を当接して連結させることで化粧板を安定的に支持した状態で締結部材を介して連結することができ、締結作業をスムーズに行えるとともに、水流れ方向への緑化用植栽の荷重等を平板材に受けさせることもでき、高い強度を保持することができる。
【００１３】
また、支持基台は、立はぜを間に挟んで拝み合わせ状に配置連結される一対のスタンド金具からなる構成とすることにより、支持基台を簡単な構造で低コストで製造できる。さらに、屋根部や立はぜにボルト孔等を空けたり特殊な加工を施したりすることなしに簡単に取付けることができるとともに、例えば緑化が不要となったり改修したりする際には簡単に取り外すことができる。
【図面の簡単な説明】
【００１４】
【図１】本発明の一実施形態に係る緑化屋根構造の一部分を示す斜視図であり、内部構造を示す説明図である。
【図２】図１の緑化屋根構造の斜視説明図である。
【図３】図１の緑化屋根構造の断面説明図である。
【図４】図１の緑化屋根構造を正面説明図である。
【図５】図１の緑化屋根構造の支持基台周辺の拡大説明図である。
【図６】（ａ）図１の緑化屋根構造が適用された建物の一例の概略正面説明図、（ｂ）その建物の屋根部の概略平面説明図である。
【図７】（ａ）図１の緑化屋根構造が適用された建物の他の例の一部を示す概略斜視説明図、（ｂ）そのアール形状の屋根部分の概略平面説明図である。
【発明を実施するための形態】
【００１５】
以下、添付図面を参照しつつ本発明の緑化屋根構造の実施の形態について説明する。本発明の緑化屋根構造は、例えば、金属製屋根材を屋根勾配すなわち水流れ方向に交差する左右方向にはぜ部で接合して、水流れ方向に沿って立はぜ部が長く形成される縦葺きの屋根を緑化するのに好適な緑化屋根構造である。図１ないし図７は、本発明に係る緑化屋根構造の一実施形態を示している。図１、図２、図３に示すように、本実施形態では、緑化屋根構造１０は、水流れ方向に沿って立はぜ２４を併設させた屋根部１２と、立はぜ２４間に配置された緑化用植栽１４と、立はぜに取付けられる支持基台１６と、支持基台１６に固定された連結部材１８と、締結部材２０を介して連結部材１８と締結される化粧板２２と、を含む。
【００１６】
屋根部１２は、例えば、図６、図７に示すような建物Ｚ１、Ｚ２の上部を覆う屋根部である。なお、図６、図７では、屋根部１２の説明のために支持基台や連結部材等の他の部材を省略して示している。図１、図２に示すように、屋根部１２は、屋根勾配すなわち水流れ方向(矢視Ｗ）に沿って立はぜ２４を併設させるように複数の板材１２ａを組付け接合して形成されている。本実施形態では、屋根部１２は、例えば、従来周知の縦はぜ葺きの金属屋根からなる。屋根部１２は、例えば、亜鉛メッキ鋼板、溶融亜鉛メッキ屋根用鋼板、アルミニウム−亜鉛合金メッキ鋼板等の耐水性、耐候性及び強度が高い金属製の板材からなり、複数の金属製板材を屋根勾配の流れに沿って揃えつつ、左右両端のはぜ部分を締め付けて該板材板面よりも約２ｃｍ程度立ち上がった細幅帯長板状の立はぜ２４で接合されて、所定の屋根形状で形成される。例えば、屋根部１２の屋根を構成する各金属製板材は、水流れ方向Ｗの水上側と水下側とで幅が同じになる略長方形状に設けられると直線状の屋根形状輪郭を形成しうる。一方、図２に示すように、金属製板材は、水流れ方向Ｗの水上側の板幅が狭く、水下側の板幅が広く設定された略台形状のものを揃えて接合することにより、図６、図７に示す建物Ｚ１、Ｚ２のように水下側すなわち平面視での屋根形状輪郭をアール形状Ｒに形成することができる。例えば、水上側より水下側が幅広となる略台形状の金属製板材を円形状に並設して屋根部１２を形成すると、図６（ａ）（ｂ）に示すように、全周にアール形状Ｒが形成される円形状の屋根部１２を構築することができる。このとき、円形の中心部が水流れ方向Ｗの水上側、円周側が水下側となり、金属製板材どうしの接合部分となる立はぜ２４は、円の中心から径方向に放射状に形成され、隣接する立はぜ２４どうしは水下側に向けて次第に離隔幅が広くなるようになっている。また、図７（ａ）（ｂ）に示すように、例えば、略扇形状のように一部分にアール形状Ｒがあらわれる屋根形状を構築することもできる。なお、図２では、建物Ｚ１の円形状の屋根のように一部にアール形状Ｒを含む屋根部１２の一部を模式的にあらわしているが、説明のために隣接する立はぜ２４どうしの角度や屋根板材等を変形して描いている。
【００１７】
図１、図２、図３に示すように、支持基台１６は、屋根部１２の立はぜ２４の流れ方向の所要位置に取り付けられる支持基台であって、上端部が立はぜ２４の高さより高い位置に配置される。図４、図５にも示すように、本実施形態では、支持基台１６は、例えば、立はぜ２４を間に挟んで拝み合わせ状に配置連結される一対のスタンド金具２６ａ、２６ｂからなる。一対のスタンド金具を構成する第１スタンド金具２６ａと第２スタンド金具２６ｂは、略同一形状で形成されており、ステンレス等の硬質の金属板をプレス加工等によって所定形状に加工して設けられている。各スタンド金具２６ａ、２６ｂは、少なくとも立はぜ２４の板面からの高さよりも大きなサイズで形成されており、例えば、側面視では縦が約５ｃｍ、横が約５ｃｍ程度のサイズの略矩形状に形成されている。スタンド金具２６ａ、２６ｂは、プレス加工に限らず、例えば金属板を折り曲げ加工、鋳造等のその他任意の製造方法で製造してもよい。
【００１８】
スタンド金具２６ａ、２６ｂは、正面視では、互いに拝み合わせた状態で、上端部は上下方向に直線状に設けられるとともに、上下中間部２８は互いに外側に膨らむように拡大され、それらの下端部２９は互いに近接する方向に傾斜され、下端部からさらに横方向にＬ字状に折り曲げられたＬ字片３０を形成している。さらに、スタンド金具２６ａ、２６ｂの中間部２８には、さらに外側に膨らむように金属板を曲げて突設させた補強凸部３２が形成されている。補強凸部３２は、スタンド金具２６ａ、２６ｂの側面視で互いに離隔した部分に二カ所設けられている。一対のスタンド金具２６ａ、２６ｂどうしは、例えば、上下中間部２８の補強凸部３２が設けられた部位であって、Ｌ字片部３０を屋根部の板面に当接させた際に立はぜ２４の上端よりも高い位置に穿孔されたボルト孔にボルト・ナット等のスタンド締結部材３４によって近接、離隔可能に締結される。一対のスタンド金具２６ａ、２６ｂは、Ｌ字片３０を板面に当接させた状態で立はぜ２４を間に挟んで配置され、上下中間部２８の拡大部により、屋根部１２の立はぜ２４を内包できるようになっており、スタンド締結部材３４によって拝み合わせ状に締結することによって下端部２９で立はぜ２４を挟みつけて固定的に取り付けられる。一対のスタンド金具２６ａ、２６ｂには、スタンド締結部材３４との係合部に補強凸部３２が設けられているので、スタンド締結部材３４を強く締め付けてもスタンド金具２６ａ、２６ｂが変形しにくく、確実に下端部２９で立はぜ２４を締め付けて固定することができる。その結果、強度が高い緑化屋根構造を実現しうる。支持基台１６である一対のスタンド金具２６ａ、２６ｂの取付け位置は、それぞれ立はぜ２４において、少なくとも後述の化粧板２２が取り付けられる位置となる水流れ方向の水上側端部寄り位置と、水下側端部寄り位置に取付けられる。さらに、支持基台１６である一対のスタンド金具２６ａ、２６ｂは、必要に応じてそれらの立はぜ２４の長手中間位置に１個又は複数個が取り付けられ、後述の横仕切り材３８の取り付け位置と対応して取り付けられる。
【００１９】
連結部材１８は、支持基台１６に固定され、後述の化粧板２２又は横仕切り材３８を支持基台１６に連結するための連結手段である。連結部材１８は、水流れ方向Ｗに沿う方向に締結用孔３６が穿孔されている。図３、図４、図５に示すように、本実施形態では、連結部材１８は、例えば、締結用孔３６を穿孔した小形の平板材からなり、該平板材の板面１８Ｓが流れ方向Ｗに対向するように設定されて支持基台１６に一体固定されている。具体的には、連結部材１８は、例えば、ステンレス等の硬質金属製で、縦が約３．５ｃｍ、横が約２．５ｃｍ程度の略縦長長方形状の平板材からなり、一つの隅部部分を支持基台１６の第１スタンド金具２６ａの端部に溶接等により一体的に固定されている。すなわち、一対のスタンド金具の一方側にのみ、連結部材１８が一体固定されている。連結部材１８の第１スタンド金具２６ａとの固定部分とは対角となる隅部近傍に連結用孔３６が板面を貫通して穿孔されている。なお、連結部材１８は、化粧板２２や横仕切り材３８のサイズ、緑化用植栽のサイズ等に応じて適宜設定され、例えば、３ｃｍ正方（３ｃｍ×３ｃｍ）以上で、２０ｃｍ正方（２０ｃｍ×２０ｃｍ）以内のサイズで任意の形状に設定されるとよい。
【００２０】
化粧板２２は、屋根部１２の水流れ方向Ｗと交差するように支持基台１６上に配置され、かつ締結部材２０を介して連結部材１８と締結される。図１、図２に示すように、本実施形態では、化粧板２２は、屋根部１２上の緑化用植栽１４を含む緑化用部材が配置される範囲の水上側又は水下側において水流れ方向Ｗと交差する方向に延びて緑化範囲を区画する仕切りを形成するとともに、外面側からの見栄えをよくする化粧板である。化粧板２２は、例えば、溶融亜鉛メッキ屋根用鋼板、アルミニウム−亜鉛合金メッキ鋼板、やアルミニウム等の防止性、耐候性を有する金属材料で形成されており、一方に長くかつ長手方向に直交する断面の形状が略コ字状となるように曲折されたコ字形金属板からなる。化粧板２２は、その長手方向を屋根部１２の立はぜ２４の長手方向に交差方向に向けた状態で、該立はぜ２４に取付けられた一対のスタンド金具２６ａ、２６ｂの上端に載置上に配置され、板面を連結部材１８の平板板面に当接させた状態で、該連結部材１８の連結用孔３６を介して水流れ方向に沿って方向に縫うようにボルト・ナット等の締結部材２０で締結される。化粧板２２の締結用孔３７は、例えば、事前に穿孔しておいてもよいし、現場で連結部材１８に対する該化粧板２２の位置調整を行ってドリル等で穿孔することとしてもよい。化粧板２２は、例えば、スタンド金具に載置させずに、連結部材１８の上記とは逆の板面側に当接して連結することとしてもよい。例えば、化粧板２２は、化粧板２２の下端が立はぜ２４の上端より上方に配置された状態で、連結部材１８のいずれかの板面１８Ｓに当接して連結されるとよい。なお、図１に示すように、緑化用植栽１４を配置する緑化範囲の水流れ方向Ｗに交差する左右方向の端部は、必要に応じて水流れ方向Ｗに沿って長く設けられる他の化粧板２３を設けることとしてもよい。
【００２１】
さらに、本実施形態では、図１、図２に示すように、水流れ方向Ｗの水上側の化粧板２２と水下側の化粧板２２との間には、複数個の横仕切り材３８が配置される。横仕切り材２８は、水上側と水下側の化粧板２２との間に配置される緑化用植栽１４を水流れ方向Ｗの中間位置に配置されて、該緑化用植栽１４を受け止める仕切り部材である。横仕切り材３８は、屋根部１２の面積が広い場合や、屋根勾配が急な場合には、設置個数を増やすとよい。横仕切り材３８は、例えば、例えば、溶融亜鉛メッキ屋根用鋼板、アルミニウム−亜鉛合金めっき鋼板やアルミニウム等の防止性、耐候性を有する金属材料で形成されており、一方に長い金属板からなる。横仕切り材３８は、例えば、長手方向に直交に切断した断面形状が、縦板部分の上端部と下端部がそれぞれ逆方向に直角Ｌ字状に向けて曲折された変形Ｚ字状の金属細長板材からなる。横仕切り材３８は、化粧板２２と略同様にその長手方向を屋根部１２の立はぜ２４の長手方向に交差方向に向けた状態で、該立はぜ２４の中間位置に取付けられた一対のスタンド金具２６ａ、２６ｂの上端に載置上に配置され、縦板板面を連結部材１８の平板板面に当接させた状態で、該連結部材１８の連結用孔３６を介してボルト・ナット等の締結部材２０で締結される。
【００２２】
緑化用植栽１４は、屋根部１２の上方に配置されて屋上緑化するための緑化手段であり、屋根部１２の立はぜ２４間に配置される。本実施形態では、図１、図２、図３に示すように、緑化用植栽１４は、例えば、上記の立はぜ２４に取付けられた一対のスタンド金具２６ａ、２６ｂ、連結部材１８を介して取り付けられた化粧板２２で区画される緑化範囲内に配置され、立はぜ２４を含む屋根部１２の上を覆うようになってる。なお、図２では、説明のために緑化用植栽１４は、二点鎖線で概略して示している。緑化用植栽１４は、例えば、従来周知の緑化用部材で構成されており、屋根部１２の板材の上に、下から順に、排水マット４０と、保護マット４２と、植物基盤４４と、が重ねて設置されている。緑化用植栽１４は、例えば、屋根部１２の板面上で立はぜ２４の間に配置され、該立はぜ２４の高さよりも高い位置まで積層されて設けられている。植物基盤４４は、例えば、軽量で保水力が良い周知の屋上緑化用土壌や培地マット等からなり、植物の種又は苗等が植栽されて緑化される。植物基盤４４は、例えば、所定のサイズ（３０ｃｍ×３０ｃｍ）の緑化用植生マットを複数並べて形成してもよいし、ロール状に長い緑化用植生マットを敷設してもよく、その他任意の植物基盤で構成でもよい。植物基盤４４の上面側が化粧板２２の上端のＬ字曲折部分と略同じ高さかやや低い状態で設置される。なお、図１上、Ｘは植物基盤４４に植栽された緑化植物である。保護マット４２は透水性のマットで植物基盤４４を下に敷設されている。排水マット４０は、透水性の高いマットであり、化粧板２２と屋根部１２の板面との隙間を埋めるような厚さに設定されている。
【００２３】
例えば、図７に示すような円形状の屋根を有する建物Ｚ１に緑化屋根構造１０を施工する際には、図１、図２に示すように、円形状の屋根部１２の立はぜ２４に支持基台１６を取付ける。例えば、円形状の屋根部１２の場合には、円の中心が水流れ方向Ｗの水上側となり、円周側が水下となるように屋根勾配がつけて複数の板材が接合されて設けられており、円の中心から径方向に沿って放射状に立はぜ２４が併設される。立はぜ２４のそれぞれの水上側と水下側に支持基台１６が取り付けられる。また、立はぜ２４の長手中間位置にも複数個の支持基台１６が取り付けられる。支持基台１６は、一対のスタンド金具２６ａ、２６ｂからなり、立はぜ２４を間に挟んで拝み合わせ状に配置して締結部材２４で連結されるので、屋根部１２に孔をあけることなく、簡単に取付け作業を行える。図２に示すように、立はぜ２４の水上側と水下側に取付けられた支持基台１６には、化粧板２２が取り付けられる。化粧板２２は、板面１８Ｓが流れ方向Ｗに対向するように設定された状態で支持基台１６と一体固定された連結部材１８に当接させた状態で、水流れ方向Ｗに沿う方向に縫うように締結部材２０を介して締結される。立はぜ２４の長手中間位置に取付けられた支持基台１６の連結部材１８に締結部材２０を介して横仕切り材３８が締結される。立はぜ２４の間に緑化用植栽１４が配置されると、緑化用植栽１４は、水流れ方向の中間位置で横仕切り材３８によって受けられるとともに、水下側端部位置は化粧板２２によって受けられ、該緑化用植栽の荷重が分散して受けられる。このようにして、本実施形態の緑化屋根構造１０では、円形状の屋根部を簡単に緑化することができる。
【００２４】
以上説明した本発明の緑化屋根構造は、上記した実施形態のみの構成に限定されるものではなく、特許請求の範囲に記載した本発明の本質を逸脱しない範囲において、任意の改変を行ってもよい。
【産業上の利用可能性】
【００２５】
本発明の緑化屋根構造は、例えば、平面視で円形状や楕円形状、扇形状、その他アール部分を含む形状の屋根を緑化する際に好適に利用できる。
【符号の説明】
【００２６】
１０    緑化屋根構造
１２    屋根部
１４    緑化用植栽
１６    支持基台
１８    連結部材
２０    締結部材
２２    化粧板
２４    立はぜ
２６ａ、２６ｂ    スタンド金具
３６    締結用孔
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
水流れ方向に沿って立はぜを併設させるように複数の板材を組付け接合して形成した屋根部と、
立はぜ間に配置された緑化用植栽と、
立はぜの流れ方向の所要位置に取り付けられる支持基台であって、上端部が立はぜの高さより高い位置に配置される支持基台と、
支持基台に固定される連結部材であって板面が水流れ方向に対向するように設けられた略四角形状の平板材からなり水流れ方向に沿う方向に締結用孔を穿孔した連結部材と、
連結部材の板面と面合わせして締結部材を介して連結部材と締結される化粧板と、を含み、
支持基台は、立はぜを間に挟み流れ方向に沿うように上端部どうしを対向配置させて拝み合わせ状に配置連結される一対のスタンド金具からなり、
連結部材の四角形状の平板材の一つの隅部部分である角部が支持基台の上端部の流れ上流端又は下流端となる一方側のスタンド金具の端部に一体的に固定されたことを特徴とする緑化屋根構造。
【手続補正２】
【補正対象書類名】明細書
【補正対象項目名】全文
【補正方法】変更
【補正の内容】
【発明の詳細な説明】
【技術分野】
【０００１】
本発明は、建物の金属屋根等の屋根上を緑化するのに好適な緑化屋根構造に関する。
【背景技術】
【０００２】
金属屋根は、瓦やスレートと比較して軽量であるとともに、加工性が高いことから屋根形状のデザインの自由度も高く、例えば、平面視で円形状や楕円形状、扇状等のアール曲線を含む屋根形状等、様々な屋根形状にも容易に対応して施工できるので、一般住宅、工場や公共施設等でも広く利用されている。また近年では、温暖化対策、断熱性が低い金属屋根の断熱性向上のためや、建物の景観向上等のために、屋上緑化が勧められており、企業や個人を問わず、屋根や屋上に植物を植えて緑化する事例も増えつつある。
【０００３】
金属屋根を緑化するための方法としては、例えば、特許文献１において、本出願人は、金属屋根にビス孔等を開けることなく、緑化パネル等の屋根上設備を施工することができる屋根上設備の支持フレームの取付け金具を考案している。特許文献１の屋根上設備の支持フレームの取付金具は、金属製屋根の屋根板から直角方向に立ち上げて上端側を馳ぜ締め結着して設けられた細幅帯長板状の立て馳ぜ部の両側面に、立て馳ぜ部を挟むようにあてがわれて対向配置される一対の縦支持板と、縦支持板の上端に連接され屋根上設備の支持フレームを受ける受部と、一対の縦支持板の縦方向中間部を両縦支持板の近接方向に締め付ける締め付け機構とを備え、縦支持板は、縦方向中間部に馳ぜ締め結着部を内包するように外側に膨拡部と、膨拡部に一体接続されて立て馳ぜ部の下端側を挟みつけるように膨拡部から立て馳ぜ部側に向けて曲げられた縦支持板の下部であって、立て馳ぜ部の下部に当接して同下部をそれぞれ締め付け圧接する圧接端を有する下部圧接部と、を備えたものであった。
【先行技術文献】
【特許文献】
【０００４】
【特許文献１】実用新案登録第３１５９６０１号公報
【発明の概要】
【発明が解決しようとする課題】
【０００５】
特許文献１の支持フレームの取付金具では、屋根上設備の支持フレームを受ける受部は、縦支持板の上端からＬ字状に曲折された受板部からなり、受板部には複数のボルト孔を上下方向に穿孔されており、それらの受板部の上に該支持フレームを載置して、上下方向にボルトを通した状態でナットで締めて、受板部と屋根上設備の支持フレームとを連結する構造であった。しかしながら、屋根上設備は、金属屋根の屋根勾配の方向とは交差する上下方向に向けてボルト連結する構造であるので、水流れ方向への荷重にある程度抗する強度を確保するために複数のボルトが必要となり、部材点数が多く、コストが高くなるとともに、施工の際にも多数のボルト連結工程が必要となり、煩雑となるものであった。さらに、一対の縦支持板の上端をそれぞれＬ字状に曲折して設けられているので、支持金具に使用される金属材料が多く必要となる上、構造が複雑化し、製造にも折り曲げ工程や多数のボルト孔開け工程等を含む多数の工程がかかり、全体的なコストが高くつく問題があった。
【０００６】
本発明は、上記従来の課題に鑑みてなされたものであり、その一つの目的は、例えば、アール形状を有する金属屋根を緑化しうる構造で、十分に強度を保持できるとともに、構造が簡単で低コストであり、施工も簡単に行える緑化屋根構造を提供することにある。
【課題を解決するための手段】
【０００７】
上記課題を解決するために本発明は、水流れ方向Ｗに沿って立はぜ２４を併設させるように複数の板材１２ａを組付け接合して形成した屋根部１２と、立はぜ２４間に配置された緑化用植栽１４と、立はぜ２４の流れ方向の所要位置に取り付けられる支持基台１６であって、上端部が立はぜ２４の高さより高い位置に配置される支持基台１６と、支持基台１６に固定される連結部材１８であって板面１８Ｓが水流れ方向Ｗに対向するように設けられた略四角形状の平板材からなり水流れ方向Ｗに沿う方向に締結用孔３６を穿孔した連結部材１８と、連結部材１８の板面１８Ｓと面合わせして締結部材２０を介して連結部材１８と締結される化粧板２２と、を含み、支持基台１６は、立はぜ２４を間に挟み流れ方向に沿うように上端部どうしを対向配置させて拝み合わせ状に配置連結される一対のスタンド金具２６ａ、２６ｂからなり、連結部材１８の四角形状の平板材の一つの隅部部分である角部が支持基台１６の上端部の流れ上流端又は下流端となる一方側のスタンド金具２６ａの端部に一体的に固定された緑化屋根構造１０から構成される。
【発明の効果】
【０００８】
本発明の緑化屋根構造によれば、水流れ方向に沿って立はぜを併設させるように複数の板材を組付け接合して形成した屋根部と、立はぜ間に配置された緑化用植栽と、立はぜの流れ方向の所要位置に取り付けられる支持基台であって、上端部が立はぜの高さより高い位置に配置される支持基台と、支持基台に固定される連結部材であって水流れ方向に沿う方向に締結用孔を穿孔した連結部材と、水流れ方向と交差するように支持基台上に配置され、かつ締結部材を介して連結部材と締結される化粧板と、を含むことから、連結部材と化粧板とを締結する締結部材にかかる負荷が少ないので締結部材の個数が少なくても強度を保持できる結果、部材点数が少なく低コストで施工することができると同時に、緑化用植栽を安全に確保するのに十分な強度を保持した緑化屋根を提供できる。
【０００９】
また、連結部材は、締結用孔を穿孔した小形の平板材からなる構成とすることにより、簡単な構造で具体的に連結部材を実現できるとともに、化粧板を平板材に当接させてボルト等で締結することで、水流れ方向への荷重を平板材で受けて分散することもでき、強度を保持できるとともに、低コストで製造することができる。
【００１０】
また、連結部材は、支持基台に一体固定されている構成とすることにより、屋根上での施工時の取り扱いや管理が簡便であるとともに、連結部材と支持基台、及び連結部材と化粧板とを一体化して、全体的に強度が高い緑化屋根構造を具現できる。
【００１１】
また、連結部材は、３ｃｍ正方〜２０ｃｍ正方のサイズである構成とすることにより、化粧板の大きさに応じて適切なサイズで設計して該化粧板と連結することができ、水流れ方向にかかる緑化用植栽の荷重等を受けながら確実に支持することができる。
【００１２】
また、連結部材は平板材の板面が流れ方向に対向するように設定されている構成とすることにより、平板材の板面に化粧板を当接して連結させることで化粧板を安定的に支持した状態で締結部材を介して連結することができ、締結作業をスムーズに行えるとともに、水流れ方向への緑化用植栽の荷重等を平板材に受けさせることもでき、高い強度を保持することができる。
【００１３】
また、支持基台は、立はぜを間に挟んで拝み合わせ状に配置連結される一対のスタンド金具からなる構成とすることにより、支持基台を簡単な構造で低コストで製造できる。さらに、屋根部や立はぜにボルト孔等を空けたり特殊な加工を施したりすることなしに簡単に取付けることができるとともに、例えば緑化が不要となったり改修したりする際には簡単に取り外すことができる。
【図面の簡単な説明】
【００１４】
【図１】本発明の一実施形態に係る緑化屋根構造の一部分を示す斜視図であり、内部構造を示す説明図である。
【図２】図１の緑化屋根構造の斜視説明図である。
【図３】図１の緑化屋根構造の断面説明図である。
【図４】図１の緑化屋根構造を正面説明図である。
【図５】図１の緑化屋根構造の支持基台周辺の拡大説明図である。
【図６】（ａ）図１の緑化屋根構造が適用された建物の一例の概略正面説明図、（ｂ）その建物の屋根部の概略平面説明図である。
【図７】（ａ）図１の緑化屋根構造が適用された建物の他の例の一部を示す概略斜視説明図、（ｂ）そのアール形状の屋根部分の概略平面説明図である。
【発明を実施するための形態】
【００１５】
以下、添付図面を参照しつつ本発明の緑化屋根構造の実施の形態について説明する。本発明の緑化屋根構造は、例えば、金属製屋根材を屋根勾配すなわち水流れ方向に交差する左右方向にはぜ部で接合して、水流れ方向に沿って立はぜ部が長く形成される縦葺きの屋根を緑化するのに好適な緑化屋根構造である。図１ないし図７は、本発明に係る緑化屋根構造の一実施形態を示している。図１、図２、図３に示すように、本実施形態では、緑化屋根構造１０は、水流れ方向に沿って立はぜ２４を併設させた屋根部１２と、立はぜ２４間に配置された緑化用植栽１４と、立はぜに取付けられる支持基台１６と、支持基台１６に固定された連結部材１８と、締結部材２０を介して連結部材１８と締結される化粧板２２と、を含む。
【００１６】
屋根部１２は、例えば、図６、図７に示すような建物Ｚ１、Ｚ２の上部を覆う屋根部である。なお、図６、図７では、屋根部１２の説明のために支持基台や連結部材等の他の部材を省略して示している。図１、図２に示すように、屋根部１２は、屋根勾配すなわち水流れ方向(矢視Ｗ）に沿って立はぜ２４を併設させるように複数の板材１２ａを組付け接合して形成されている。本実施形態では、屋根部１２は、例えば、従来周知の縦はぜ葺きの金属屋根からなる。屋根部１２は、例えば、亜鉛メッキ鋼板、溶融亜鉛メッキ屋根用鋼板、アルミニウム−亜鉛合金メッキ鋼板等の耐水性、耐候性及び強度が高い金属製の板材からなり、複数の金属製板材を屋根勾配の流れに沿って揃えつつ、左右両端のはぜ部分を締め付けて該板材板面よりも約２ｃｍ程度立ち上がった細幅帯長板状の立はぜ２４で接合されて、所定の屋根形状で形成される。例えば、屋根部１２の屋根を構成する各金属製板材は、水流れ方向Ｗの水上側と水下側とで幅が同じになる略長方形状に設けられると直線状の屋根形状輪郭を形成しうる。一方、図２に示すように、金属製板材は、水流れ方向Ｗの水上側の板幅が狭く、水下側の板幅が広く設定された略台形状のものを揃えて接合することにより、図６、図７に示す建物Ｚ１、Ｚ２のように水下側すなわち平面視での屋根形状輪郭をアール形状Ｒに形成することができる。例えば、水上側より水下側が幅広となる略台形状の金属製板材を円形状に並設して屋根部１２を形成すると、図６（ａ）（ｂ）に示すように、全周にアール形状Ｒが形成される円形状の屋根部１２を構築することができる。このとき、円形の中心部が水流れ方向Ｗの水上側、円周側が水下側となり、金属製板材どうしの接合部分となる立はぜ２４は、円の中心から径方向に放射状に形成され、隣接する立はぜ２４どうしは水下側に向けて次第に離隔幅が広くなるようになっている。また、図７（ａ）（ｂ）に示すように、例えば、略扇形状のように一部分にアール形状Ｒがあらわれる屋根形状を構築することもできる。なお、図２では、建物Ｚ１の円形状の屋根のように一部にアール形状Ｒを含む屋根部１２の一部を模式的にあらわしているが、説明のために隣接する立はぜ２４どうしの角度や屋根板材等を変形して描いている。
【００１７】
図１、図２、図３に示すように、支持基台１６は、屋根部１２の立はぜ２４の流れ方向の所要位置に取り付けられる支持基台であって、上端部が立はぜ２４の高さより高い位置に配置される。図４、図５にも示すように、本実施形態では、支持基台１６は、例えば、立はぜ２４を間に挟んで拝み合わせ状に配置連結される一対のスタンド金具２６ａ、２６ｂからなる。一対のスタンド金具を構成する第１スタンド金具２６ａと第２スタンド金具２６ｂは、略同一形状で形成されており、ステンレス等の硬質の金属板をプレス加工等によって所定形状に加工して設けられている。各スタンド金具２６ａ、２６ｂは、少なくとも立はぜ２４の板面からの高さよりも大きなサイズで形成されており、例えば、側面視では縦が約５ｃｍ、横が約５ｃｍ程度のサイズの略矩形状に形成されている。スタンド金具２６ａ、２６ｂは、プレス加工に限らず、例えば金属板を折り曲げ加工、鋳造等のその他任意の製造方法で製造してもよい。
【００１８】
スタンド金具２６ａ、２６ｂは、正面視では、互いに拝み合わせた状態で、上端部は上下方向に直線状に設けられるとともに、上下中間部２８は互いに外側に膨らむように拡大され、それらの下端部２９は互いに近接する方向に傾斜され、下端部からさらに横方向にＬ字状に折り曲げられたＬ字片３０を形成している。さらに、スタンド金具２６ａ、２６ｂの中間部２８には、さらに外側に膨らむように金属板を曲げて突設させた補強凸部３２が形成されている。補強凸部３２は、スタンド金具２６ａ、２６ｂの側面視で互いに離隔した部分に二カ所設けられている。一対のスタンド金具２６ａ、２６ｂどうしは、例えば、上下中間部２８の補強凸部３２が設けられた部位であって、Ｌ字片部３０を屋根部の板面に当接させた際に立はぜ２４の上端よりも高い位置に穿孔されたボルト孔にボルト・ナット等のスタンド締結部材３４によって近接、離隔可能に締結される。一対のスタンド金具２６ａ、２６ｂは、Ｌ字片３０を板面に当接させた状態で立はぜ２４を間に挟んで配置され、上下中間部２８の拡大部により、屋根部１２の立はぜ２４を内包できるようになっており、スタンド締結部材３４によって拝み合わせ状に締結することによって下端部２９で立はぜ２４を挟みつけて固定的に取り付けられる。一対のスタンド金具２６ａ、２６ｂには、スタンド締結部材３４との係合部に補強凸部３２が設けられているので、スタンド締結部材３４を強く締め付けてもスタンド金具２６ａ、２６ｂが変形しにくく、確実に下端部２９で立はぜ２４を締め付けて固定することができる。その結果、強度が高い緑化屋根構造を実現しうる。支持基台１６である一対のスタンド金具２６ａ、２６ｂの取付け位置は、それぞれ立はぜ２４において、少なくとも後述の化粧板２２が取り付けられる位置となる水流れ方向の水上側端部寄り位置と、水下側端部寄り位置に取付けられる。さらに、支持基台１６である一対のスタンド金具２６ａ、２６ｂは、必要に応じてそれらの立はぜ２４の長手中間位置に１個又は複数個が取り付けられ、後述の横仕切り材３８の取り付け位置と対応して取り付けられる。
【００１９】
連結部材１８は、支持基台１６に固定され、後述の化粧板２２又は横仕切り材３８を支持基台１６に連結するための連結手段である。連結部材１８は、水流れ方向Ｗに沿う方向に締結用孔３６が穿孔されている。図３、図４、図５に示すように、本実施形態では、連結部材１８は、例えば、締結用孔３６を穿孔した小形の平板材からなり、該平板材の板面１８Ｓが流れ方向Ｗに対向するように設定されて支持基台１６に一体固定されている。具体的には、連結部材１８は、例えば、ステンレス等の硬質金属製で、縦が約３．５ｃｍ、横が約２．５ｃｍ程度の略縦長長方形状の平板材からなり、一つの隅部部分を支持基台１６の第１スタンド金具２６ａの端部に溶接等により一体的に固定されている。すなわち、一対のスタンド金具の一方側にのみ、連結部材１８が一体固定されている。連結部材１８の第１スタンド金具２６ａとの固定部分とは対角となる隅部近傍に連結用孔３６が板面を貫通して穿孔されている。なお、連結部材１８は、化粧板２２や横仕切り材３８のサイズ、緑化用植栽のサイズ等に応じて適宜設定され、例えば、３ｃｍ正方（３ｃｍ×３ｃｍ）以上で、２０ｃｍ正方（２０ｃｍ×２０ｃｍ）以内のサイズで任意の形状に設定されるとよい。
【００２０】
化粧板２２は、屋根部１２の水流れ方向Ｗと交差するように支持基台１６上に配置され、かつ締結部材２０を介して連結部材１８と締結される。図１、図２に示すように、本実施形態では、化粧板２２は、屋根部１２上の緑化用植栽１４を含む緑化用部材が配置される範囲の水上側又は水下側において水流れ方向Ｗと交差する方向に延びて緑化範囲を区画する仕切りを形成するとともに、外面側からの見栄えをよくする化粧板である。化粧板２２は、例えば、溶融亜鉛メッキ屋根用鋼板、アルミニウム−亜鉛合金メッキ鋼板、やアルミニウム等の防止性、耐候性を有する金属材料で形成されており、一方に長くかつ長手方向に直交する断面の形状が略コ字状となるように曲折されたコ字形金属板からなる。化粧板２２は、その長手方向を屋根部１２の立はぜ２４の長手方向に交差方向に向けた状態で、該立はぜ２４に取付けられた一対のスタンド金具２６ａ、２６ｂの上端に載置上に配置され、板面を連結部材１８の平板板面に当接させた状態で、該連結部材１８の連結用孔３６を介して水流れ方向に沿って方向に縫うようにボルト・ナット等の締結部材２０で締結される。化粧板２２の締結用孔３７は、例えば、事前に穿孔しておいてもよいし、現場で連結部材１８に対する該化粧板２２の位置調整を行ってドリル等で穿孔することとしてもよい。化粧板２２は、例えば、スタンド金具に載置させずに、連結部材１８の上記とは逆の板面側に当接して連結することとしてもよい。例えば、化粧板２２は、化粧板２２の下端が立はぜ２４の上端より上方に配置された状態で、連結部材１８のいずれかの板面１８Ｓに当接して連結されるとよい。なお、図１に示すように、緑化用植栽１４を配置する緑化範囲の水流れ方向Ｗに交差する左右方向の端部は、必要に応じて水流れ方向Ｗに沿って長く設けられる他の化粧板２３を設けることとしてもよい。
【００２１】
さらに、本実施形態では、図１、図２に示すように、水流れ方向Ｗの水上側の化粧板２２と水下側の化粧板２２との間には、複数個の横仕切り材３８が配置される。横仕切り材２８は、水上側と水下側の化粧板２２との間に配置される緑化用植栽１４を水流れ方向Ｗの中間位置に配置されて、該緑化用植栽１４を受け止める仕切り部材である。横仕切り材３８は、屋根部１２の面積が広い場合や、屋根勾配が急な場合には、設置個数を増やすとよい。横仕切り材３８は、例えば、溶融亜鉛メッキ屋根用鋼板、アルミニウム−亜鉛合金めっき鋼板やアルミニウム等の防止性、耐候性を有する金属材料で形成されており、一方に長い金属板からなる。横仕切り材３８は、例えば、長手方向に直交に切断した断面形状が、縦板部分の上端部と下端部がそれぞれ逆方向に直角Ｌ字状に向けて曲折された変形Ｚ字状の金属細長板材からなる。横仕切り材３８は、化粧板２２と略同様にその長手方向を屋根部１２の立はぜ２４の長手方向に交差方向に向けた状態で、該立はぜ２４の中間位置に取付けられた一対のスタンド金具２６ａ、２６ｂの上端に載置上に配置され、縦板板面を連結部材１８の平板板面に当接させた状態で、該連結部材１８の連結用孔３６を介してボルト・ナット等の締結部材２０で締結される。
【００２２】
緑化用植栽１４は、屋根部１２の上方に配置されて屋上緑化するための緑化手段であり、屋根部１２の立はぜ２４間に配置される。本実施形態では、図１、図２、図３に示すように、緑化用植栽１４は、例えば、上記の立はぜ２４に取付けられた一対のスタンド金具２６ａ、２６ｂ、連結部材１８を介して取り付けられた化粧板２２で区画される緑化範囲内に配置され、立はぜ２４を含む屋根部１２の上を覆うようになってる。なお、図２では、説明のために緑化用植栽１４は、二点鎖線で概略して示している。緑化用植栽１４は、例えば、従来周知の緑化用部材で構成されており、屋根部１２の板材の上に、下から順に、排水マット４０と、保護マット４２と、植物基盤４４と、が重ねて設置されている。緑化用植栽１４は、例えば、屋根部１２の板面上で立はぜ２４の間に配置され、該立はぜ２４の高さよりも高い位置まで積層されて設けられている。植物基盤４４は、例えば、軽量で保水力が良い周知の屋上緑化用土壌や培地マット等からなり、植物の種又は苗等が植栽されて緑化される。植物基盤４４は、例えば、所定のサイズ（３０ｃｍ×３０ｃｍ）の緑化用植生マットを複数並べて形成してもよいし、ロール状に長い緑化用植生マットを敷設してもよく、その他任意の植物基盤で構成でもよい。植物基盤４４の上面側が化粧板２２の上端のＬ字曲折部分と略同じ高さかやや低い状態で設置される。なお、図１上、Ｘは植物基盤４４に植栽された緑化植物である。保護マット４２は透水性のマットで植物基盤４４を下に敷設されている。排水マット４０は、透水性の高いマットであり、化粧板２２と屋根部１２の板面との隙間を埋めるような厚さに設定されている。
【００２３】
例えば、図７に示すような円形状の屋根を有する建物Ｚ１に緑化屋根構造１０を施工する際には、図１、図２に示すように、円形状の屋根部１２の立はぜ２４に支持基台１６を取付ける。例えば、円形状の屋根部１２の場合には、円の中心が水流れ方向Ｗの水上側となり、円周側が水下となるように屋根勾配がつけて複数の板材が接合されて設けられており、円の中心から径方向に沿って放射状に立はぜ２４が併設される。立はぜ２４のそれぞれの水上側と水下側に支持基台１６が取り付けられる。また、立はぜ２４の長手中間位置にも複数個の支持基台１６が取り付けられる。支持基台１６は、一対のスタンド金具２６ａ、２６ｂからなり、立はぜ２４を間に挟んで拝み合わせ状に配置して締結部材２４で連結されるので、屋根部１２に孔をあけることなく、簡単に取付け作業を行える。図２に示すように、立はぜ２４の水上側と水下側に取付けられた支持基台１６には、化粧板２２が取り付けられる。化粧板２２は、板面１８Ｓが流れ方向Ｗに対向するように設定された状態で支持基台１６と一体固定された連結部材１８に当接させた状態で、水流れ方向Ｗに沿う方向に縫うように締結部材２０を介して締結される。立はぜ２４の長手中間位置に取付けられた支持基台１６の連結部材１８に締結部材２０を介して横仕切り材３８が締結される。立はぜ２４の間に緑化用植栽１４が配置されると、緑化用植栽１４は、水流れ方向の中間位置で横仕切り材３８によって受けられるとともに、水下側端部位置は化粧板２２によって受けられ、該緑化用植栽の荷重が分散して受けられる。このようにして、本実施形態の緑化屋根構造１０では、円形状の屋根部を簡単に緑化することができる。
【００２４】
以上説明した本発明の緑化屋根構造は、上記した実施形態のみの構成に限定されるものではなく、特許請求の範囲に記載した本発明の本質を逸脱しない範囲において、任意の改変を行ってもよい。
【産業上の利用可能性】
【００２５】
本発明の緑化屋根構造は、例えば、平面視で円形状や楕円形状、扇形状、その他アール部分を含む形状の屋根を緑化する際に好適に利用できる。
【符号の説明】
【００２６】
１０    緑化屋根構造
１２    屋根部
１４    緑化用植栽
１６    支持基台
１８    連結部材
２０    締結部材
２２    化粧板
２４    立はぜ
２６ａ、２６ｂ    スタンド金具
３６    締結用孔
【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
水流れ方向に沿って立はぜを併設させるように複数の板材を組付け接合して形成した屋根部と、
立はぜ間に配置された緑化用植栽と、
立はぜの流れ方向の所要位置に取り付けられる支持基台であって、上端部が立はぜの高さより高い位置に配置される支持基台と、
支持基台に固定される連結部材であって板面が水流れ方向に対向するように設けられた略四角形状の平板材からなり水流れ方向に沿う方向に締結用孔を穿孔した連結部材と、
連結部材の板面と面合わせして締結部材を介して連結部材と締結される化粧板と、を含み、
支持基台は、立はぜを間に挟み流れ方向に沿うように上端部どうしを対向配置させて拝み合わせ状に配置連結される一対のスタンド金具からなり、
化粧板は、一対のスタンド金具の上端面に載置して配置され、
連結部材の四角形状の平板材の下方側の隅部部分である角部のうち一つの角部近傍が、支持基台の上端部の流れ上流端又は下流端となる一方側のスタンド金具の上端部であって水流れ方向に対向する面に一体的に固定されたことを特徴とする緑化屋根構造。
【手続補正２】
【補正対象書類名】明細書
【補正対象項目名】０００７
【補正方法】変更
【補正の内容】
【０００７】
上記課題を解決するために本発明は、水流れ方向Ｗに沿って立はぜ２４を併設させるように複数の板材１２ａを組付け接合して形成した屋根部１２と、立はぜ２４間に配置された緑化用植栽１４と、立はぜ２４の流れ方向の所要位置に取り付けられる支持基台１６であって、上端部が立はぜ２４の高さより高い位置に配置される支持基台１６と、支持基台１６に固定される連結部材１８であって板面１８Ｓが水流れ方向Ｗに対向するように設けられた略四角形状の平板材からなり水流れ方向Ｗに沿う方向に締結用孔３６を穿孔した連結部材１８と、連結部材１８の板面１８Ｓと面合わせして締結部材２０を介して連結部材１８と締結される化粧板２２と、を含み、支持基台１６は、立はぜ２４を間に挟み流れ方向に沿うように上端部どうしを対向配置させて拝み合わせ状に配置連結される一対のスタンド金具２６ａ、２６ｂからなり、化粧板２２は、一対のスタンド金具２６ａ、２６ｂの上端面に載置して配置され、連結部材１８の四角形状の平板材の下方側の隅部部分である角部のうち一つの角部近傍が、支持基台１６の上端部の流れ上流端又は下流端となる一方側のスタンド金具２６ａの上端部であって水流れ方向Ｗに対向する面に一体的に固定された緑化屋根構造１０から構成される。